(57)【要約】  注文処理携帯端末（１００）は、店舗で商品のオーダを受け付けるオーダ受付部（１０２）と、店舗内の複数の所定位置に設置される複数のマーカの中の少なくとも１つのマーカから、該マーカが設置される所定位置を特定可能とするマーカ特定情報を抽出する抽出部（１０４）と、抽出部（１０４）により抽出されるマーカ特定情報とともにオーダ受付部（１０２）が受け付けた商品のオーダデータを送信するオーダデータ送信部（１０６）と、を備える。
2014017395.tif 000002
【特許請求の範囲】
【請求項１】
店舗で商品のオーダを受け付けるオーダ受付手段と、
前記店舗内の複数の所定位置に設置される複数のマーカの中の少なくとも１つのマーカから、該マーカが設置される所定位置を特定可能とするマーカ特定情報を抽出する抽出手段と、
前記抽出手段により抽出される前記マーカ特定情報とともに前記オーダ受付手段が受け付けた前記商品のオーダデータを送信するオーダデータ送信手段と、
を備える注文処理携帯端末。
【請求項２】
請求項１に記載の注文処理携帯端末において、
前記各マーカは、画像を提示するか、または、音声を出力し、
前記抽出手段は、
当該注文処理携帯端末が有する撮像部により撮像された前記少なくとも１つのマーカの画像、または、当該注文処理携帯端末が有する集音部により集音された前記少なくとも１つのマーカの音声を取得し、該取得された画像または音声を、前記少なくとも１つのマーカが設置される前記所定位置を示す位置識別情報に変換し、
特定された位置識別情報を前記マーカ特定情報として取得する注文処理携帯端末。
【請求項３】
請求項１に記載の注文処理携帯端末において、
前記各マーカは、画像を提示するか、または音声を出力し、
前記抽出手段は、
当該注文処理携帯端末が有する撮像部により撮像された前記少なくとも１つのマーカの画像、または、当該注文処理携帯端末が有する集音部により集音された前記少なくとも１つのマーカの音声を前記マーカ特定情報として抽出する注文処理携帯端末。
【請求項４】
請求項１乃至３いずれかに記載の注文処理携帯端末において、
前記マーカ特定情報は、
前記店舗内の複数のテーブル、またはカウンタ席の識別情報を特定可能とする情報である注文処理携帯端末。
【請求項５】
注文処理携帯端末が、
店舗で商品のオーダを受け付け、
前記店舗内の複数の所定位置に設置される複数のマーカの中の少なくとも１つのマーカから、該マーカが設置される所定位置を特定可能とするマーカ特定情報を抽出し、
抽出される前記マーカ特定情報とともに受け付けた前記商品のオーダデータを送信する注文処理携帯端末のデータ処理方法。
【請求項６】
注文処理携帯端末を実現するコンピュータに、
店舗で商品のオーダを受け付ける手順、
前記店舗内の複数の所定位置に設置される複数のマーカの中の少なくとも１つのマーカから、該マーカが設置される所定位置を特定可能とするマーカ特定情報を抽出する手順、
抽出される前記マーカ特定情報とともに受け付けた前記商品のオーダデータを送信する手順、を実行させるためのプログラム。
【請求項７】
請求項１乃至４いずれかに記載の注文処理携帯端末と、
前記注文処理携帯端末と通信可能なサーバ装置とを備え、
前記サーバ装置は、
前記注文処理携帯端末から送信されたオーダデータを受信するオーダデータ受信手段を備える注文システム。
【発明の詳細な説明】
【技術分野】
【０００１】
本発明は、注文処理携帯端末、そのデータ処理方法、およびプログラム、ならびに、注文システムに関する。
【背景技術】
【０００２】
外食産業のレストラン等において、店舗の各テーブルに端末を置き、注文を客自身に端末を操作させて行うセルフオーダシステムとして、たとえば、特許文献１に記載されたものがある。
また、特許文献２に記載されたオーダシステムは、利用者の電子機器、ここでは、カーナビゲーションを利用して、利用者に注文情報を作成させ、無線通信で受信する。【０００３】
さらに、特許文献３に記載された商品情報検索システムは、画像再生装置に再生表示された表示画像を、端末で撮影した画像を利用して、ネットワークを介して商品情報を検索し、取得した商品情報を元に商品の注文を行う。
【先行技術文献】
【特許文献】
【０００４】
【特許文献１】特開２００６−２８５９７１号公報
【特許文献２】特開２００８−１０２９４２号公報
【特許文献３】特開２００６−２８５６５４号公報
【発明の概要】
【発明が解決しようとする課題】
【０００５】
上述した文献に記載された技術においては、店舗内のどの位置、テーブルやカウンタ席等からの注文かは、たとえば、テーブル番号を端末から直接人手により入力する等しないと特定することが困難であるという問題点があった。【０００６】
本発明は上記事情に鑑みてなされたものであり、その目的とするところは、携帯端末を用いた商品注文時に、注文位置を特定でき、かつ、その位置情報の信頼性を向上できる注文処理携帯端末、そのデータ処理方法、およびプログラム、ならびに、注文システムを提供することにある。
【課題を解決するための手段】
【０００７】
本発明の注文処理携帯端末は、
店舗で商品のオーダを受け付けるオーダ受付手段と、
前記店舗内の複数の所定位置に設置される複数のマーカの中の少なくとも１つのマーカから、該マーカが設置される所定位置を特定可能とするマーカ特定情報を抽出する抽出手段と、
前記抽出手段により抽出される前記マーカ特定情報とともに前記オーダ受付手段が受け付けた前記商品のオーダデータを送信するオーダデータ送信手段と、
を備える。【０００８】
本発明の注文処理携帯端末のデータ処理方法は、
注文処理携帯端末が、
店舗で商品のオーダを受け付け、
前記店舗内の複数の所定位置に設置される複数のマーカの中の少なくとも１つのマーカから、該マーカが設置される所定位置を特定可能とするマーカ特定情報を抽出し、
抽出される前記マーカ特定情報とともに受け付けた前記商品のオーダデータを送信する。【０００９】
本発明のコンピュータプログラムは、
注文処理携帯端末を実現するコンピュータに、
店舗で商品のオーダを受け付ける手順、
前記店舗内の複数の所定位置に設置される複数のマーカの中の少なくとも１つのマーカから、該マーカが設置される所定位置を特定可能とするマーカ特定情報を抽出する手順、
抽出される前記マーカ特定情報とともに受け付けた前記商品のオーダデータを送信する手順、を実行させるためのプログラムである。【００１０】
本発明の注文システムは、
上記注文処理携帯端末と、
前記注文処理携帯端末と通信可能なサーバ装置とを備え、
前記サーバ装置は、
前記注文処理携帯端末から送信されたオーダデータを受信するオーダデータ受信手段を備える。【００１１】
なお、以上の構成要素の任意の組合せ、本発明の表現を方法、装置、システム、記録媒体、コンピュータプログラムなどの間で変換したものもまた、本発明の態様として有効である。【００１２】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。【００１３】
また、本発明のデータ処理方法およびコンピュータプログラムには複数の手順を順番に記載してあるが、その記載の順番は複数の手順を実行する順番を限定するものではない。このため、本発明のデータ処理方法およびコンピュータプログラムを実施するときには、その複数の手順の順番は内容的に支障のない範囲で変更することができる。【００１４】
さらに、本発明のデータ処理方法およびコンピュータプログラムの複数の手順は個々に相違するタイミングで実行されることに限定されない。このため、ある手順の実行中に他の手順が発生すること、ある手順の実行タイミングと他の手順の実行タイミングとの一部ないし全部が重複していること、等でもよい。
【発明の効果】
【００１５】
本発明によれば、携帯端末を用いた商品注文時に注文位置を特定でき、かつ、その信頼性を向上する注文処理携帯端末、そのデータ処理方法、およびプログラム、ならびに、注文システムが提供される。
【図面の簡単な説明】
【００１６】
上述した目的、およびその他の目的、特徴および利点は、以下に述べる好適な実施形態、およびそれに付随する以下の図面によってさらに明らかになる。【００１７】
【図１】本発明の実施の形態に係る注文システムの構成を示すブロック図である。
【図２】本発明の実施の形態に係る注文処理携帯端末の論理的な構成を示す機能ブロック図である。
【図３】本発明の実施の形態に係る注文システムのスマートフォンを利用した注文シーンを説明するための図である。
【図４】本発明の実施の形態に係る注文システムにおいて店舗の所定位置に設置されるマーカを説明するための図である。
【図５】本発明の実施の形態に係る注文システムのスマートフォンのハードウェア構成を示すブロック図である。
【図６】本発明の実施の形態に係る注文システムのサーバ装置のハードウェア構成を示すブロック図である。
【図７】本発明の実施の形態に係る注文処理携帯端末の動作の一例を示すフローチャートである。
【図８】本発明の実施の形態に係る注文処理携帯端末の画面構成の一例を示す図である。
【図９】本発明の実施の形態に係る注文処理携帯端末の注文シーンを説明するための図である。
【図１０】本発明の実施の形態に係る注文処理携帯端末のメイン画面を示す図である。
【図１１】本発明の実施の形態に係る注文処理携帯端末のテーブル番号画面を示す図である。
【図１２】本発明の実施の形態に係る注文処理携帯端末のトレイ画面を示す図である。
【図１３】本発明の実施の形態に係る注文システムのユーザマスタの構造の一例を示す図である。
【図１４】本発明の実施の形態に係る注文システムのログインテーブルの構造の一例を示す図である。
【図１５】本発明の実施の形態に係る注文システムの店舗マスタの構造の一例を示す図である。
【図１６】本発明の実施の形態に係る注文システムのトレイテーブルの構造の一例を示す図である。
【図１７】本発明の実施の形態に係る注文システムの画像テーブルの構造の一例を示す図である。
【図１８】本発明の実施の形態に係る注文処理携帯端末の要部構成を示す機能ブロック図である。
【発明を実施するための形態】
【００１８】
以下、本発明の実施の形態について、図面を用いて説明する。尚、すべての図面において、同様な構成要素には同様の符号を付し、適宜説明を省略する。また、以下の各図において、本発明の本質に関わらない部分の構成については省略してあり、図示されていない。
【００１９】
図１は、本発明の実施の形態に係る注文システム１の構成を示す機能ブロック図である。
本実施形態の注文システム１は、ユーザが利用する注文処理携帯端末であるスマートフォン１０と、店舗５に設けられた注文受付装置８０と、注文受付装置８０に接続されるプリンタ８２と、スマートフォン１０および注文受付装置８０とネットワーク３を介して通信可能なサーバ装置６０と、サーバ装置６０に接続されるデータベース（図中、「ＤＢ」と示す）５０と、を備える。
【００２０】
本発明の実施の形態に係る注文システム１では、図３に示すように、ユーザが利用するスマートフォン１０をメニュー７にかざして撮影し、リアルタイムに表示される映像のプレビュー画面９上で商品を注文することができる。本実施形態の注文システム１では、店舗５内の複数のテーブル（図１では、２つのテーブルＡおよびテーブルＢ）のうち、どのテーブルで注文されたオーダかをスマートフォン１０を用いて特定し、オーダデータとともに送信できる。
【００２１】
本実施形態の注文処理携帯端末１００は、ユーザが利用する携帯端末として、スマートフォン１０を例として説明するが、これに限定されるものではない。たとえば、ユーザの携帯端末は、スマートフォン以外に、携帯電話機、ＰＤＡ（Personal Digital Assistants）、タブレット端末、ゲーム機、またはその他の電子機器等の携帯移動型の無線通信端末とすることができる。また、本発明の注文処理携帯端末１００は、ユーザが携帯する携帯端末以外にも、店舗または商品提示場等に配備された携帯端末であってもよく、その場に来店または来場したユーザが共通で使用できるような端末であってもよい。
【００２２】
図２は、本発明の実施の形態に係る注文処理携帯端末１００の論理的な構成を示す機能ブロック図である。
本発明の実施の形態に係る注文処理携帯端末１００は、店舗５で商品のオーダを受け付けるオーダ受付部１０２と、店舗５内の複数の所定位置に設置される複数のマーカの中の少なくとも１つのマーカから、該マーカが設置される所定位置を特定可能とするマーカ特定情報を抽出する抽出部１０４と、抽出部１０４により抽出されるマーカ特定情報とともにオーダ受付部１０２が受け付けた商品のオーダデータを送信するオーダデータ送信部１０６と、を備える。
【００２３】
スマートフォン１０に、本発明の実施の形態に係る注文処理携帯端末１００を実現するためのアプリケーションプログラムを予めインストールすることで、注文処理携帯端末１００の機能をスマートフォン１０上で実現させることができる。あるいは、ウェブサーバ（不図示）上にウェブページを設け、ユーザがスマートフォン１０を用いてウェブサイトにアクセスすることで、注文処理携帯端末１００の機能をスマートフォン１０が利用してもよい。
【００２４】
図５は、本発明の実施の形態に係る注文処理携帯端末の例として、スマートフォン１０のハードウェア構成を示すブロック図である。図５に示すように、本実施形態のスマートフォン１０は、ＣＰＵ（Central Processing Unit）１２と、ＲＯＭ（Read Only Memory）１４と、ＲＡＭ（Random Access Memory）１６と、携帯電話網通信部１８と、無線ＬＡＮ（Local Area Network）通信部２０と、操作部２２と、操作受付部２４と、表示部２６と、表示制御部２８と、撮像部３０と、スピーカ３２と、マイク３４と、音声制御部３６と、を備える。
【００２５】
ＣＰＵ１２は、スマートフォン１０の各要素とバス４０を介して接続され、各要素とともにスマートフォン１０全体を制御する。ＲＯＭ１４は、スマートフォン１０を動作させるためのプログラムや各種アプリケーションプログラム、それらのプログラムが動作する際に使用する各種設定データなどを記憶するとともに、アドレスデータ、各種コンテンツデータを含むユーザデータを記憶する。ＲＡＭ１６は、プログラムが動作するための作業領域など一時的にデータを記憶する領域を有する。
【００２６】
スマートフォン１０の各構成要素は、上述したＣＰＵ１２、ＲＡＭ１６、ＲＡＭ１６にロードされた図２の構成要素を実現するプログラム、そのプログラムを格納するＲＯＭ１４、ネットワーク接続用インタフェース（携帯電話網通信部１８、無線ＬＡＮ通信部２０）を有する任意のコンピュータのハードウェアとソフトウェアの任意の組合せによって実現される。そして、その実現方法、装置にはいろいろな変形例があることは、当業者には理解されるところである。以下に説明する各機能ブロック図は、ハードウェア単位の構成ではなく、論理的な機能単位のブロックを示している。
【００２７】
操作部２２は、操作キー、操作ボタン、スイッチ、ジョグダイヤル、タッチパッド、表示部２６と一体になったタッチパネルなどを含む。操作受付部２４は、ユーザによる操作部２２の操作を受け付け、ＣＰＵ１２に通知する。表示部２６は、ＬＥＤ（Light Emitting Diode）表示器や、液晶ディスプレイ、有機ＥＬ（ElectroLuminescence）ディスプレイなどを含む。表示制御部２８は、ＣＰＵ１２からの指示に従い、表示部２６に各種画面表示を行う。音声制御部３６は、ＣＰＵ１２からの指示に従い、スピーカ３２から音声出力、およびマイク３４から音声入力を行う。
【００２８】
スマートフォン１０は、携帯電話網通信部１８、携帯電話網用アンテナ１９を介して、たとえば、３Ｇ（3rd Generation：第３世代携帯電話）方式で、携帯通信網（不図示）に基地局（不図示）を介して接続して通信する。スマートフォン１０は、携帯通信網からインターネット等のネットワーク３（図１）に接続し、サーバ装置６０（図１）と通信できる。
【００２９】
無線ＬＡＮ通信部２０は、無線ＬＡＮ用アンテナ２１を介して、たとえば、IEEE 802.11規格に準拠した方式で、中継装置（不図示）と無線ＬＡＮ通信を行う。本実施形態では、スマートフォン１０は、無線ＬＡＮ通信部２０で店舗５に設置された中継装置と無線ＬＡＮ通信を行い宅内ネットワーク（不図示）に接続し、宅内ネットワークに接続された注文受付装置８０と通信することができる。
【００３０】
図６は、本発明の実施の形態に係る注文システム１のサーバ装置６０のハードウェア構成を示すブロック図である。
本実施形態のサーバ装置６０は、データベース５０（図１）に接続されるサーバコンピュータやパーソナルコンピュータ、またはそれらに相当する装置により実現することができる。また、サーバ装置６０は、仮想サーバなどにより構成されてもよい。
【００３１】
本実施形態の注文システム１のサーバ装置６０の各構成要素は、ＣＰＵ６２、ＲＡＭ６６、ＲＡＭ６６にロードされた本図の構成要素を実現するプログラム、そのプログラムを格納するＲＯＭ６４、ネットワーク接続用インタフェースを含むＩ／Ｏ（Input/Output）６８を有する任意のコンピュータのハードウェアとソフトウェアの任意の組合せによって実現される。ＣＰＵ６２は、サーバ装置６０の各要素とバス６９を介して接続され、各要素とともにサーバ装置６０全体を制御する。そして、その実現方法、装置にはいろいろな変形例があることは、当業者には理解されるところである。以下に説明する各機能ブロック図は、ハードウェア単位の構成ではなく、論理的な機能単位のブロックを示している。なお、サーバ装置６０は、Ｉ／Ｏ６８を介して図示されない入出力装置と接続することもできる。
【００３２】
図２に戻り、本実施形態の注文処理携帯端末１００において、オーダ受付部１０２は、店舗５で商品のオーダを受け付ける。本実施形態では、外食産業のレストラン等の店舗５で、メニュー７から商品を注文する場合を例に説明する。
たとえば、メニュー７の少なくとも一部がスマートフォン１０の撮像部３０（図５）により撮像された映像データを逐次表示部２６（図５）に表示させ、映像に含まれる商品の画像をユーザが選択操作することで注文を指定できる。オーダ受付部１０２は、メニュー７映像の含まれる商品の画像から選択された画像に対応する商品を注文として受け付ける。
【００３３】
抽出部１０４は、店舗５内の複数の所定位置に設置される複数のマーカの中の少なくとも１つのマーカから、該マーカが設置される所定位置を特定可能とするマーカ特定情報を抽出する。
【００３４】
店舗５内の複数の所定位置とは、たとえば、注文品を届ける位置であり、本実施形態の外食産業のレストランの例では、顧客が食事をするテーブル、または、カウンタ席等の位置である。マーカは、これら店舗５内のテーブルやカウンタ席の位置を特定可能とするもので、テーブルやカウンタ席にそれぞれ設置される。
図４（ａ）に示すように、たとえば、マーカ１１０は、企業名１１２と、店舗名１１４と、テーブル番号１１６と、が記載されたシールであり、テーブルに添付することができる。
【００３５】
この例では、マーカ１１０には、文字で企業名１１２や店舗名１１４やテーブル番号１１６を記載しているが、これらに限定されるものではない。マーカ１１０は、テーブル毎に予め対応付けられ、互いに識別可能な画像であればよく、店舗名１１４やテーブル番号１１６の文字をまったく含まない画像、たとえば、写真や絵のみでもよい。しかし、本実施形態のように、マーカ１１０にテーブル番号１１６等が記載されている方が、ユーザがテーブル番号を目視でも確認できるので好ましい。本実施形態では、マーカ１１０は、テーブルに添付する形態としているが、これに限定されない。マーカ１１０は、各テーブルに載置されるメニュー７や、メニュースタンド、テーブルサインプレート、伝票ホルダ等の備品に添付または印刷する形態とすることもできる。
また、マーカ１１０は、自然木で作られたテーブル上の木目の模様や、テーブルについた傷など、テーブルごとに識別可能な外見であってもよい。
【００３６】
なお、本発明のマーカは、後に参照するメニューがその店舗独自のメニューであるためオーダ受付情報と組み合わせることで店舗５が特定できる場合や、それ以外の手段を用いて店舗５を特定できる場合には、少なくとも店舗５内の所定位置が特定できる情報を有していればよいので、少なくともテーブル番号と対応付けられていればよい。
【００３７】
全国で同一のメニューを提供するチェーン店であり、メニュー画像を撮影するだけではその店舗を特定することが困難な場合や、地下に設置された店舗でＧＰＳ（Global Positioning System）により店舗が特定できない場合など、他の手段を用いても店舗を特定できない場合には、本発明のマーカ１１０は、どの店舗のどのテーブルなのかを識別できる必要がある。このように、本発明のマーカは、様々な形態を採用することができる。
【００３８】
本実施形態の抽出部１０４は、たとえば、スマートフォン１０の撮像部３０（図５）を用いてマーカ１１０を撮像することでマーカ１１０の画像を取得する。
【００３９】
また、他の例では、図４（ｂ）に示すように、マーカは、２次元コード方式のバーコードであるＱＲ（Quick Response）コード（登録商標）でもよい。この場合も、抽出部１０４は、スマートフォン１０の撮像部３０を用いてマーカ１１０を撮像することで、マーカ１１０の画像を取得する。
【００４０】
また、マーカ１１０は、各テーブルに設置されたディスプレイ上に画像を表示させる形態としてもよい。マーカ１１０は、設定された時間帯ごとのタイミング、店舗の管理者のシステム操作により設定されたタイミング、または、前の顧客がそのテーブルの会計を終了したことを店舗システムが検出したタイミングなど任意のタイミングで、ランダムな画像に変更できるのが好ましい。どのような画像がどのようにランダムに表示されるかはシステム側で管理しておけばよい。この形態によれば、たとえば、事前にマーカ１１０を撮影した保存画像や印刷物を入手して、店舗５に居るように見せかけていたずらで注文を送信することを防止できる。その理由は、ランダムにマーカ１１０が変更されるので、事前に画像を入手できないからである。
【００４１】
なお、マーカ１１０に店舗名１１４やテーブル番号１１６などの文字が記載されている場合には、必ずしも写真や絵柄を用いたマーカ識別を行う必要はなく、店舗名１１４やテーブル番号１１６などの文字を文字認識によって判別する構成であってもよい。
【００４２】
また、マーカは、画像以外にも様々な媒体を利用することができる。たとえば、ＲＦＩＤ（Radio Frequency Identification）のタグや、ＮＦＣ（Near Field Communication）のタグに、企業名、店舗名、テーブル番号の情報を書き込んだものでもよい。この例では、抽出部１０４は、スマートフォン１０のＲＦＩＤリーダ（不図示）等を用いてマーカ１１０の情報を読み込み取得する。
【００４３】
さらに、マーカは、テーブル毎に異なる音（チャイム等の効果音やメロディ）や音声等を出力するものでもよい。この例では、抽出部１０４は、スマートフォン１０のマイク３４（図５）を用いてマーカ１１０の音や音声等を取得する。
なお、たとえば、マーカが画像であり、画像認識によってマーカの特定を行う構成の場合には、注文処理携帯端末１００は、商品の注文の受け付けも画像認識を利用して行う構成とするのが望ましい。また、マーカが音声であり、音声認識によってマーカの特定を行う構成の場合には、注文処理携帯端末１００は、商品の注文の受け付けも音声認識を利用して行う構成とするのが望ましい。
【００４４】
オーダデータ送信部１０６は、抽出部１０４により抽出されるマーカ特定情報とともにオーダ受付部１０２が受け付けた商品のオーダデータを送信する。たとえば、オーダデータ送信部１０６は、図５のスマートフォン１０の携帯電話網通信部１８を用いて、ネットワーク３を介してサーバ装置６０にオーダデータを送信することができる。
なお、他の実施形態において、オーダデータ送信部１０６は、図５のスマートフォン１０の無線ＬＡＮ通信部２０を用いて注文受付装置８０にオーダデータを直接送信してもよい。その他、オーダデータ送信部１０６は、スマートフォン１０が備える任意の通信手段（不図示）を用いてオーダデータを送信してもよい。
【００４５】
本実施形態の注文処理携帯端末１００において、マーカ１１０は、画像を提示するか、または、音声を出力する。
そして、抽出部１０４は、注文処理携帯端末１００が有する撮像部３０（図５）により撮像された少なくとも１つのマーカ１１０の画像、または、注文処理携帯端末１００が有する集音部（図５のマイク３４）により集音された少なくとも１つのマーカ１１０の音声を取得し、該取得された画像または音声を、少なくとも１つのマーカ１１０が設置される所定位置を示す位置識別情報に変換し、特定された位置識別情報をマーカ特定情報として取得する。
【００４６】
抽出部１０４は、図１８に示すように、画像認識部２０２と、位置情報変換部２０４と、を含むことができる。
画像認識部２０２は、たとえば、撮像部３０により撮像されたマーカ１１０の画像の特徴点データと、予め登録された図１７の画像テーブル４６０の特徴点データと照合する。一致する画像が検出されたとき、画像認識部２０２は、画像を認識する。
位置情報変換部２０４は、画像テーブル４６０を参照し、認識した画像の特徴点データを、該特徴点データに対応するテーブル番号等の所定位置を示す位置識別情報に変換する。
【００４７】
なお、画像テーブル４６０は、サーバ装置６０のデータベース５０に保持されていて、たとえば、スマートフォン１０にアプリケーションをインストールした時、店舗利用時や予め利用店舗を登録した時、店舗に設置された無線ＬＡＮアクセスポイントの識別ＩＤをスマートフォン１０が検出した時などに、適宜、スマートフォン１０にダウンロードされ、スマートフォン１０のメモリに格納することができる。
【００４８】
本実施の形態の注文処理携帯端末１００では、コンピュータプログラムに対応する各種の処理動作をスマートフォン１０のＣＰＵ１２が実行することにより、前述のような各種ユニットが各種機能として実現される。
本実施形態のコンピュータプログラムは、注文処理携帯端末１００を実現されるためのコンピュータに、店舗５で商品のオーダを受け付ける手順、店舗５内の複数の所定位置に設置される複数のマーカの中の少なくとも１つのマーカから、該マーカが設置される所定位置を特定可能とするマーカ特定情報を抽出する手順、抽出されるマーカ特定情報とともに受け付けた商品のオーダデータを送信する手順、を実行させるように記述されている。
【００４９】
本実施形態のコンピュータプログラムは、コンピュータで読み取り可能な記録媒体に記録されてもよい。記録媒体は特に限定されず、様々な形態のものが考えられる。また、プログラムは、記録媒体からコンピュータのメモリにロードされてもよいし、ネットワークを通じてコンピュータにダウンロードされ、メモリにロードされてもよい。
【００５０】
図８は、本発明の実施の形態に係る注文処理携帯端末１００のスマートフォン１０の画面構成の一例を示す図である。
注文処理携帯端末１００は、画面構成として、ログイン画面１２０と、メイン画面１３０と、テーブル番号画面１４０と、オーダ画面１５０と、トレイ画面１７０と、注文確認画面１９０と、削除確認画面１９２と、を有する。
【００５１】
スマートフォン１０で本実施形態の注文処理携帯端末１００のアプリケーションが起動されると、図８のフローが開始する。
【００５２】
始めに、ログイン画面１２０が表示される。ログイン画面１２０では、ユーザが予め登録したユーザＩＤと、パスワードを入力し、ログインボタンを押下することで、表示画面がメイン画面１３０に遷移する。このとき、ユーザ認証処理によりパスワードの確認が行われ、エラーの場合、パスワードがエラーである旨のメッセージが表示され、表示画面はログイン画面１２０に戻る（不図示）。パスワードが認証された場合、表示画面はメイン画面１３０に遷移する。
【００５３】
上記ユーザ認証処理は、サーバ装置６０で行うことができる。サーバ装置６０は、データベース５０に図１３に示すユーザマスタ４００を保持している。サーバ装置６０は、ユーザマスタ４００を参照し、ユーザ認証処理を行うことができる。このとき、スマートフォン１０からサーバ装置６０に入力されたユーザＩＤとパスワードが送信される。
【００５４】
メイン画面１３０は、図１０に示すように、店舗名表示部１３２と、テーブル番号表示部１３３と、ユーザ名表示部１３４と、ポイント数表示部１３５と、テーブル番号ボタン１３７と、オーダボタン１３８と、トレイボタン１３９と、終了ボタン１２８と、を含む。
【００５５】
メイン画面１３０の店舗名表示部１３２、ユーザ名表示部１３４、およびポイント数表示部１３５の各情報は、サーバ装置６０のデータベース５０に保持される図１３のユーザマスタ４００、および図１５の店舗マスタ４２０等を参照して、表示することができる。
【００５６】
また、テーブル番号表示部１３３の情報は、メイン画面１３０のテーブル番号ボタン１３７の押下により、表示画面がテーブル番号画面１４０に遷移し、テーブル番号画面１４０の登録ボタン１４４の押下によりテーブル番号の指定が受け付けられた後、表示画面をメイン画面１３０に戻し、表示することができる。
そして、オーダボタン１３８が押下されたとき、表示画面はオーダ画面１５０に遷移する。また、トレイボタン１３９が押下されたとき、表示画面はトレイ画面１７０に遷移する。
【００５７】
また、メイン画面１３０で終了ボタン１２８が押下された場合には、終了確認のメッセージが表示される。終了確認がとれた場合、本アプリケーションを終了する。終了がキャンセルされた場合、表示画面はメイン画面１３０に戻る。
【００５８】
図１１は、スマートフォン１０をマーカ１１０（図４（ａ））にかざしたときのテーブル番号画面１４０の一例を示す図である。テーブル番号画面１４０は、図５のスマートフォン１０の撮像部３０によって撮像されたリアルタイム映像を表示するカメラビューエリア１４１を含む。テーブル番号画面１４０において、カメラビューエリア１４１内に画像認識領域１４２を示す枠が表示される。ユーザは、この画像認識領域１４２の中にマーカ１１０が入るようにスマートフォン１０のカメラを向ける。画像認識部２０２（図１８）により、マーカ１１０の画像が認識されると、認識画像１４３が表示されるとともに、登録ボタン１４４が表示される。なお、本実施形態では、画像認識部２０２は、動画像から画像認識を行う構成としているが、これに限定されない。画像認識部２０２は、撮像部３０で静止画を撮影し、静止画から画像認識を行う構成としてもよい。
【００５９】
登録ボタン１４４は、認識画像１４３をテーブル番号として登録する操作を受け付ける。
なお、撮像部で動画像を撮影する場合に、登録ボタン１４４を表示せず、マーカ１１０を一定時間以上撮像した場合に自動的に認識画像１４３をテーブル番号として抽出部１０４が登録する構成としてもよい。
また、画像認識部２０２によりマーカ１１０の画像が認識されたとき、位置情報変換部２０４（図１８）によって変換された位置識別情報、たとえば、企業名、店舗名、およびテーブル番号をテキストとして中に記載した吹き出し画像を、認識画像１４３の位置に表示してもよい。たとえば、マーカ１１０が文字を含まない画像であった場合には、このようにテキストで吹き出しに表示された位置識別情報をユーザは参照することができ、情報を確認することができる。
【００６０】
さらに、テーブル番号画面１４０が表示されている状態のとき、スマートフォン１０のディスプレイ脇に設けられた各種操作ボタンを有する操作部１４５の操作も、テーブル番号画面１４０に対する操作として図５のスマートフォン１０の操作受付部２４が受け付ける。ここでは、操作部１４５の戻るボタン１４６と、メニューボタン１４７と、が利用される。
【００６１】
登録ボタン１４４が押下されたとき、認識された画像、または、対応する位置識別情報が、一時的にスマートフォン１０のメモリに格納される。あるいは、認識された画像、または、対応する位置識別情報は、図１４に示すログインテーブル４１０にユーザＩＤと関連付けて格納されてもよい。この情報は、次回本システムを利用した場合に、前回ログイン情報となる。そして、表示画面は、自動的にオーダ画面１５０に遷移する。
【００６２】
戻るボタン１４６が押下されたとき、表示画面はメイン画面１３０に戻る。メニューボタン１４７が押下されたとき、表示画面はサブメニューウインドウ１４８に遷移し、テーブル番号画面１４０の下部にトレイボタン１４９が表示される。トレイボタン１４９が押下されたとき、表示画面はトレイ画面１７０に遷移する。
【００６３】
なお、本実施形態において、テーブル番号画面１４０で認識された認識画像１４３の画像データは、位置情報が特定された後には、必ずスマートフォン１０内のメモリから完全に消去される動作をおこなってもよい。これは、画像データが不正に利用されないようにするためである。
この場合、抽出部１０４で画像データを一時的に記憶するとともに、オーダデータ送信部１０６がオーダデータとともに送信するために一時的に記憶するマーカ特定情報は、いずれもＤＲＡＭ（Dynamic Random Access Memory）等の揮発性メモリに記憶されるのが好ましい。
【００６４】
図１２のトレイ画面１７０は、トレイに格納されている現在の注文予約状況を表示する。
なお、トレイは、上述したように、スマートフォン１０またはサーバ装置６０のメモリ内に設けることができる。
たとえば、図１２に示すように、トレイ画面１７０は、注文予約されたメニューのメニュー画像１７３と、そのメニューのメニュー名１７４と、注文された数量１７５と、が表示される。
【００６５】
また、トレイ画面１７０は、メニュー合計数や、数量合計数、合計金額を表示してもよい。
さらに、トレイ画面１７０は、注文ボタン１７６を含み、注文ボタン１７６が押下されると、注文内容の最終確認の画面が表示される。注文がＯＫの場合、オーダデータを受け付け、表示画面はメイン画面１３０に戻る。このとき、受け付けたオーダデータは、図１６のトレイテーブル４４０に記憶される。図１６のトレイテーブル４４０は、スマートフォン１０またはサーバ装置６０のいずれかのメモリに保持することができる。注文がＮＧの場合、表示画面はトレイ画面１７０に戻る。このとき、オーダデータ送信部１０６がオーダデータを注文受付装置８０に送信し、キッチンプリンタ出力される（図８の１９４）。正常に送信された場合、トレイ内の注文内容はクリアされる。
【００６６】
なお、この例では、オーダデータをキッチンプリンタに出力される構成としたが、必ずしもキッチンプリンタによる出力という手段を取る必要は無く、画面への表示や音声でのアナウンスなど、店舗内のスタッフに対してオーダ内容を伝えるための任意の手段を用いる構成であってもよい。
【００６７】
オーダ画面１５０には、図９に示すように、メニュー７を撮影した映像に、メニューに関連する付加データを表示するおすすめアイコン１６３や、注文が受け付けられトレイに格納済みのメニューを示す注文アイコン１６２が表示される。オーダ画面１５０でのオーダ方法は、様々な方法が考えられる。たとえば、図９のように、メニュー７の映像からメニューの画像を認識させ、画面上で画像を選択することで、注文操作としてもよい。
【００６８】
他の実施形態では、ユーザが音声で注文メニューを発話することで、スマートフォン１０のマイク３４を介して集音された音声データに基づいて、音声認識された情報をオーダデータとして、オーダ受付部１０２が受け付けてもよい。
本実施形態において、マーカ１１０が画像の場合は、注文も画像で受け付けるのが好ましい。マーカ１１０が音声の場合は、注文も音声で受け付けるのが好ましい。
【００６９】
上述のような構成において、本実施の形態の注文処理携帯端末１００のデータ処理方法を以下に説明する。図７は、本実施形態の注文処理携帯端末１００の動作の一例を示すフローチャートである。
本実施形態の注文処理携帯端末１００において、まず、オーダ受付部１０２が、店舗で商品のオーダを受け付ける（ステップＳ１０１）。そして、抽出部１０４が、店舗５内の複数の所定位置に設置される複数のマーカ１１０の中の少なくとも１つのマーカから、該マーカが設置される所定位置を特定可能とするマーカ特定情報を抽出する（ステップＳ１０３）。
オーダデータ送信部１０６が、マーカ特定当方とともに、商品のオーダデータを送信する（ステップＳ１０５）。
【００７０】
以上説明したように、本発明の実施の形態の注文処理携帯端末１００によれば、店舗内で受け付けた注文の注文位置を特定することができる。
【００７１】
以上、図面を参照して本発明の実施形態について述べたが、これらは本発明の例示であり、上記以外の様々な構成を採用することもできる。
【００７２】
たとえば、他の実施形態において、注文処理携帯端末１００の抽出部１０４は、注文処理携帯端末１００が有する撮像部３０（図５）により撮像された少なくとも１つのマーカの画像、または、注文処理携帯端末１００が有する集音部（図５のマイク３４）により集音された少なくとも１つのマーカの音声をマーカ特定情報として抽出する。
そして、オーダデータ送信部１０６が、このマーカ特定情報をオーダデータとともにサーバ装置６０に送信する。
【００７３】
サーバ装置６０側で、マーカ特定情報、すなわち、画像データまたは音声データに基づいて、特徴点データを抽出し、画像テーブル４６０を参照し、位置識別情報に変換する処理を行うことができる。
この構成によれば、サーバ装置６０で画像認識処理を行うことができるので、スマートフォン１０における処理の負荷を低減できる。
【００７４】
また、他の実施形態において、注文処理携帯端末１００は、オーダデータを送信した注文処理携帯端末１００の所在する店舗を特定する店舗特定部（不図示）をさらに備え、サーバ装置６０は、オーダデータとともに送信されたマーカ特定情報と、特定された店舗に基づいて、オーダデータの信頼性を判別する判別部（不図示）と、をさらに備えることができる。
店舗特定部は、たとえば、ＧＰＳを用いて取得した位置情報、店舗５に設けられたアクセスポイントの識別情報、携帯通信網の位置登録情報等に基づいて、店舗５を特定することができる。
なお、ユーザの所在位置情報の取得および送信処理は、ユーザに承諾を得てから行うものとする。
【００７５】
以上、実施形態および実施例を参照して本願発明を説明したが、本願発明は上記実施形態および実施例に限定されるものではない。本願発明の構成や詳細には、本願発明のスコープ内で当業者が理解し得る様々な変更をすることができる。
なお、本発明において利用者（ユーザ）に関する情報を取得、利用する場合は、これを適法に行うものとする。
【００７６】
以下、参考形態の例を付記する。
１．  注文処理携帯端末が、
店舗で商品のオーダを受け付け、
前記店舗内の複数の所定位置に設置される複数のマーカの中の少なくとも１つのマーカから、該マーカが設置される所定位置を特定可能とするマーカ特定情報を抽出し、
抽出される前記マーカ特定情報とともに受け付けた前記商品のオーダデータを送信する注文処理携帯端末のデータ処理方法。
２．  １．に記載の注文処理携帯端末のデータ処理方法において、
前記各マーカは、画像を提示するか、または、音声を出力し、
前記注文処理携帯端末が、
前記注文処理携帯端末が有する撮像部により撮像された前記少なくとも１つのマーカの画像、または、前記注文処理携帯端末が有する集音部により集音された前記少なくとも１つのマーカの音声を取得し、該取得された画像または音声を、前記少なくとも１つのマーカが設置される前記所定位置を示す位置識別情報に変換し、
特定された位置識別情報を前記マーカ特定情報として取得する注文処理携帯端末のデータ処理方法。
３．  １．に記載の注文処理携帯端末のデータ処理方法において、
前記各マーカは、画像を提示するか、または音声を出力し、
前記注文処理携帯端末が、
前記注文処理携帯端末が有する撮像部により撮像された前記少なくとも１つのマーカの画像、または、前記注文処理携帯端末が有する集音部により集音された前記少なくとも１つのマーカの音声を前記マーカ特定情報として抽出する注文処理携帯端末のデータ処理方法。
４．  １．乃至３．いずれかに記載の注文処理携帯端末のデータ処理方法において、
前記マーカ特定情報は、
前記店舗内の複数のテーブル、またはカウンタ席の識別情報を特定可能とする情報である注文処理携帯端末のデータ処理方法。
【００７７】
５．  注文処理携帯端末を実現するコンピュータに、
店舗で商品のオーダを受け付ける手順、
前記店舗内の複数の所定位置に設置される複数のマーカの中の少なくとも１つのマーカから、該マーカが設置される所定位置を特定可能とするマーカ特定情報を抽出する手順、
抽出される前記マーカ特定情報とともに受け付けた前記商品のオーダデータを送信する手順を実行させるためのプログラム。
６．  ５．に記載のプログラムにおいて、
前記各マーカは、画像を提示するか、または、音声を出力し、
前記注文処理携帯端末が有する撮像部により撮像された前記少なくとも１つのマーカの画像、または、前記注文処理携帯端末が有する集音部により集音された前記少なくとも１つのマーカの音声を取得する手順、
該取得された画像または音声を、前記少なくとも１つのマーカが設置される前記所定位置を示す位置識別情報に変換する手順、
特定された位置識別情報を前記マーカ特定情報として取得する手順をコンピュータに実行させるためのプログラム。
７．  ５．に記載のプログラムにおいて、
前記各マーカは、画像を提示するか、または音声を出力し、
前記注文処理携帯端末が有する撮像部により撮像された前記少なくとも１つのマーカの画像、または、前記注文処理携帯端末が有する集音部により集音された前記少なくとも１つのマーカの音声を前記マーカ特定情報として抽出する手順をコンピュータに実行させるためのプログラム。
８．  ５．乃至７．いずれかに記載のプログラムにおいて、
前記マーカ特定情報は、
前記店舗内の複数のテーブル、またはカウンタ席の識別情報を特定可能とする情報であるプログラム。
【００７８】
この出願は、２０１２年７月２４日に出願された日本特許出願特願２０１２−１６４１７０を基礎とする優先権を主張し、その開示の全てをここに取り込む。
【図１】
2014017395.tif 000003
【図２】
2014017395.tif 000004
【図３】
2014017395.tif 000005
【図４】
2014017395.tif 000006
【図５】
2014017395.tif 000007
【図６】
2014017395.tif 000008
【図７】
2014017395.tif 000009
【図８】
2014017395.tif 000010
【図９】
2014017395.tif 000011
【図１０】
2014017395.tif 000012
【図１１】
2014017395.tif 000013
【図１２】
2014017395.tif 000014
【図１３】
2014017395.tif 000015
【図１４】
2014017395.tif 000016
【図１５】
2014017395.tif 000017
【図１６】
2014017395.tif 000018
【図１７】
2014017395.tif 000019
【図１８】
2014017395.tif 000020
【手続補正書】
【提出日】平成27年9月24日(2015.9.24)
【手続補正１】
【補正対象書類名】特許請求の範囲
【補正対象項目名】全文
【補正方法】変更
【補正の内容】
【特許請求の範囲】
【請求項１】
商品のオーダを受け付けるオーダ受付手段と、
マーカを取得し、前記マーカと、前記商品を届ける所定位置を示す位置識別情報とを紐付けたテーブルを参照し、取得した前記マーカに紐付いた位置識別情報を、マーカ特定情報として取得する取得手段と、
前記マーカ特定情報とともに前記オーダ受付手段が受け付けた前記商品のオーダデータを送信するオーダデータ送信手段と、
を備え、
前記テーブルにおいて、前記マーカは任意のタイミングで変更される注文処理携帯端末。
【請求項２】
請求項１に記載の注文処理携帯端末において、
前記オーダデータを送信した店舗を特定する店舗特定手段と、
前記店舗特定手段により特定された店舗特定情報を送信する店舗特定情報送信手段と、をさらに備える注文処理携帯端末。
【請求項３】
請求項１または２に記載の注文処理携帯端末において、
前記マーカは、伝票ホルダに添付される画像を含む注文処理携帯端末。
【請求項４】
請求項１から３いずれか一項に記載の注文処理携帯端末において、
前記マーカ特定情報は、店舗または企業を特定可能な情報である注文処理携帯端末。
【請求項５】
請求項１から４いずれか一項に記載の注文処理携帯端末において、
サーバ装置によりユーザ認証されたユーザのポイント数を、前記商品のオーダ受け付け前に表示する表示手段をさらに備える注文処理携帯端末。
【請求項６】
請求項１から５いずれか一項に記載の注文処理携帯端末において、
前記各マーカは、画像を提示するか、または、音声を出力し、
前記取得手段は、
当該注文処理携帯端末が有する撮像部により撮像された少なくとも１つの前記マーカの画像、または、当該注文処理携帯端末が有する集音部により集音された少なくとも１つの前記マーカの音声を取得し、該取得された画像または音声に紐付いた前記位置識別情報を取得する注文処理携帯端末。
【請求項７】
請求項１から６いずれか一項に記載の注文処理携帯端末において、
前記マーカ特定情報は、
店舗内の複数のテーブル、またはカウンタ席の位置を特定可能とする情報である注文処理携帯端末。
【請求項８】
注文処理携帯端末が、
商品のオーダを受け付け、
マーカを取得し、前記マーカと、前記商品を届ける所定位置を示す位置識別情報とを紐付けたテーブルを参照し、取得した前記マーカに紐付いた位置識別情報を、マーカ特定情報として取得し、
前記マーカ特定情報とともに受け付けた前記商品のオーダデータを送信し、
前記テーブルにおいて、前記マーカは任意のタイミングで変更される注文処理携帯端末のデータ処理方法。
【請求項９】
注文処理携帯端末を実現するコンピュータに、
商品のオーダを受け付ける手順、
マーカを取得し、前記マーカと、前記商品を届ける所定位置を示す位置識別情報とを紐付けたテーブルを参照し、取得した前記マーカに紐付いた位置識別情報を、マーカ特定情報として取得する手順、
前記マーカ特定情報とともに受け付けた前記商品のオーダデータを送信する手順、を実行させるためのプログラムであり、
前記テーブルにおいて、前記マーカは任意のタイミングで変更されるプログラム。
【請求項１０】
請求項１から７いずれか一項に記載の注文処理携帯端末と、
前記注文処理携帯端末と通信可能なサーバ装置とを備え、
前記サーバ装置は、
任意のタイミングで変更したマーカを出力装置に出力させるマーカ出力手段と、
前記注文処理携帯端末から、前記注文処理携帯端末が前記マーカから抽出したマーカ特定情報とともに、商品のオーダデータを受信するオーダデータ受信手段と、
を備える注文システム。
【請求項１１】
注文処理携帯端末と、
前記注文処理携帯端末と通信可能なサーバ装置とを備え、
前記注文処理携帯端末は、
商品のオーダを受け付けるオーダ受付手段と、
マーカを取得し、前記マーカから、前記商品を届ける所定位置を特定可能とするマーカ特定情報を抽出する抽出手段と、
前記マーカ特定情報とともに前記商品のオーダデータを送信するオーダデータ送信手段と、を備え、
前記サーバ装置は、
マーカを出力装置に出力させるマーカ出力手段と、
前記注文処理携帯端末から、前記マーカ特定情報とともに、前記商品のオーダデータを受信するオーダデータ受信手段と、
前記マーカ出力手段により出力される前記マーカのマーカ特定情報と、前記商品を届ける所定位置を示す位置識別情報とを紐付けたテーブルを参照し、前記注文処理携帯端末から受信した前記マーカ特定情報に紐付いた前記位置識別情報を取得する取得手段と、を備え、
前記サーバ装置の前記マーカ出力手段は、任意のタイミングで前記マーカを変更して出力させる注文システム。
【請求項１２】
請求項１１に記載の注文システムにおいて、
前記注文処理携帯端末において、
前記各マーカは、画像を提示するか、または音声を出力し、
前記抽出手段は、
当該注文処理携帯端末が有する撮像部により撮像された前記少なくとも１つのマーカの画像、または、当該注文処理携帯端末が有する集音部により集音された前記少なくとも１つのマーカの音声を前記マーカ特定情報として抽出する注文システム。
【手続補正２】
【補正対象書類名】明細書
【補正対象項目名】０００７
【補正方法】変更
【補正の内容】
【０００７】
本発明の注文処理携帯端末は、
商品のオーダを受け付けるオーダ受付手段と、
マーカを取得し、前記マーカと、前記商品を届ける所定位置を示す位置識別情報とを紐付けたテーブルを参照し、取得した前記マーカに紐付いた位置識別情報を、マーカ特定情報として取得する取得手段と、
前記マーカ特定情報とともに前記オーダ受付手段が受け付けた前記商品のオーダデータを送信するオーダデータ送信手段と、
を備え、
前記テーブルにおいて、前記マーカは任意のタイミングで変更される。
【手続補正３】
【補正対象書類名】明細書
【補正対象項目名】０００８
【補正方法】変更
【補正の内容】
【０００８】
本発明の注文処理携帯端末のデータ処理方法は、
注文処理携帯端末が、
商品のオーダを受け付け、
マーカを取得し、前記マーカと、前記商品を届ける所定位置を示す位置識別情報とを紐付けたテーブルを参照し、取得した前記マーカに紐付いた位置識別情報を、マーカ特定情報として取得し、
前記マーカ特定情報とともに受け付けた前記商品のオーダデータを送信し、
前記テーブルにおいて、前記マーカは任意のタイミングで変更される。
【手続補正４】
【補正対象書類名】明細書
【補正対象項目名】０００９
【補正方法】変更
【補正の内容】
【０００９】
本発明のコンピュータプログラムは、
注文処理携帯端末を実現するコンピュータに、
商品のオーダを受け付ける手順、
マーカを取得し、前記マーカと、前記商品を届ける所定位置を示す位置識別情報とを紐付けたテーブルを参照し、取得した前記マーカに紐付いた位置識別情報を、マーカ特定情報として取得する手順、
前記マーカ特定情報とともに受け付けた前記商品のオーダデータを送信する手順、を実行させるためのプログラムであり、
前記テーブルにおいて、前記マーカは任意のタイミングで変更される。
【手続補正５】
【補正対象書類名】明細書
【補正対象項目名】００１０
【補正方法】変更
【補正の内容】
【００１０】
本発明の注文システムは、
上記注文処理携帯端末と、
前記注文処理携帯端末と通信可能なサーバ装置とを備え、
前記サーバ装置は、
任意のタイミングで変更したマーカを出力装置に出力させるマーカ出力手段と、
前記注文処理携帯端末から、前記注文処理携帯端末が前記マーカから抽出したマーカ特定情報とともに、商品のオーダデータを受信するオーダデータ受信手段と、を備える。
また、本発明の注文システムは、
注文処理携帯端末と、
前記注文処理携帯端末と通信可能なサーバ装置とを備え、
前記注文処理携帯端末は、
商品のオーダを受け付けるオーダ受付手段と、
マーカを取得し、前記マーカから、前記商品を届ける所定位置を特定可能とするマーカ特定情報を抽出する抽出手段と、
前記マーカ特定情報とともに前記商品のオーダデータを送信するオーダデータ送信手段と、を備え、
前記サーバ装置は、
マーカを出力装置に出力させるマーカ出力手段と、
前記注文処理携帯端末から、前記マーカ特定情報とともに、前記商品のオーダデータを受信するオーダデータ受信手段と、
前記マーカ出力手段により出力される前記マーカのマーカ特定情報と、前記商品を届ける所定位置を示す位置識別情報とを紐付けたテーブルを参照し、前記注文処理携帯端末から受信した前記マーカ特定情報に紐付いた前記位置識別情報を取得する取得手段と、を備え、
前記サーバ装置の前記マーカ出力手段は、任意のタイミングで前記マーカを変更して出力させる注文システム。
【手続補正６】
【補正対象書類名】明細書
【補正対象項目名】００６９
【補正方法】変更
【補正の内容】
【００６９】
上述のような構成において、本実施の形態の注文処理携帯端末１００のデータ処理方法を以下に説明する。図７は、本実施形態の注文処理携帯端末１００の動作の一例を示すフローチャートである。
本実施形態の注文処理携帯端末１００において、まず、オーダ受付部１０２が、店舗で商品のオーダを受け付ける（ステップＳ１０１）。そして、抽出部１０４が、店舗５内の複数の所定位置に設置される複数のマーカ１１０の中の少なくとも１つのマーカから、該マーカが設置される所定位置を特定可能とするマーカ特定情報を抽出する（ステップＳ１０３）。
オーダデータ送信部１０６が、マーカ特定情報とともに、商品のオーダデータを送信する（ステップＳ１０５）。
【手続補正７】
【補正対象書類名】明細書
【補正対象項目名】００７７
【補正方法】変更
【補正の内容】
【００７７】
５．  注文処理携帯端末を実現するコンピュータに、
店舗で商品のオーダを受け付ける手順、
前記店舗内の複数の所定位置に設置される複数のマーカの中の少なくとも１つのマーカから、該マーカが設置される所定位置を特定可能とするマーカ特定情報を抽出する手順、
抽出される前記マーカ特定情報とともに受け付けた前記商品のオーダデータを送信する手順を実行させるためのプログラム。
６．  ５．に記載のプログラムにおいて、
前記各マーカは、画像を提示するか、または、音声を出力し、
前記注文処理携帯端末が有する撮像部により撮像された前記少なくとも１つのマーカの画像、または、前記注文処理携帯端末が有する集音部により集音された前記少なくとも１つのマーカの音声を取得する手順、
該取得された画像または音声を、前記少なくとも１つのマーカが設置される前記所定位置を示す位置識別情報に変換する手順、
特定された位置識別情報を前記マーカ特定情報として取得する手順をコンピュータに実行させるためのプログラム。
７．  ５．に記載のプログラムにおいて、
前記各マーカは、画像を提示するか、または音声を出力し、
前記注文処理携帯端末が有する撮像部により撮像された前記少なくとも１つのマーカの画像、または、前記注文処理携帯端末が有する集音部により集音された前記少なくとも１つのマーカの音声を前記マーカ特定情報として抽出する手順をコンピュータに実行させるためのプログラム。
８．  ５．乃至７．いずれかに記載のプログラムにおいて、
前記マーカ特定情報は、
前記店舗内の複数のテーブル、またはカウンタ席の識別情報を特定可能とする情報であるプログラム。
９．  店舗で商品のオーダを受け付けるオーダ受付手段と、
前記店舗内の複数の所定位置に設置される複数のマーカの中の少なくとも１つのマーカから、該マーカが設置される所定位置を特定可能とするマーカ特定情報を抽出する抽出手段と、
前記抽出手段により抽出される前記マーカ特定情報とともに前記オーダ受付手段が受け付けた前記商品のオーダデータを送信するオーダデータ送信手段と、
を備える注文処理携帯端末。
１０．  ９．に記載の注文処理携帯端末において、
前記各マーカは、画像を提示するか、または、音声を出力し、
前記抽出手段は、
当該注文処理携帯端末が有する撮像部により撮像された前記少なくとも１つのマーカの画像、または、当該注文処理携帯端末が有する集音部により集音された前記少なくとも１つのマーカの音声を取得し、該取得された画像または音声を、前記少なくとも１つのマーカが設置される前記所定位置を示す位置識別情報に変換し、
特定された位置識別情報を前記マーカ特定情報として取得する注文処理携帯端末。
１１．  ９．に記載の注文処理携帯端末において、
前記各マーカは、画像を提示するか、または音声を出力し、
前記抽出手段は、
当該注文処理携帯端末が有する撮像部により撮像された前記少なくとも１つのマーカの画像、または、当該注文処理携帯端末が有する集音部により集音された前記少なくとも１つのマーカの音声を前記マーカ特定情報として抽出する注文処理携帯端末。
１２．  ９．乃至１１．いずれかに記載の注文処理携帯端末において、
前記マーカ特定情報は、
前記店舗内の複数のテーブル、またはカウンタ席の識別情報を特定可能とする情報である注文処理携帯端末。
１３．  ９．乃至１２．いずれかに記載の注文処理携帯端末と、
前記注文処理携帯端末と通信可能なサーバ装置とを備え、
前記サーバ装置は、
前記注文処理携帯端末から送信されたオーダデータを受信するオーダデータ受信手段を備える注文システム。
【手続補正書】
【提出日】平成28年4月14日(2016.4.14)
【手続補正１】
【補正対象書類名】特許請求の範囲
【補正対象項目名】全文
【補正方法】変更
【補正の内容】
【特許請求の範囲】
【請求項１】
注文処理携帯端末と、
前記注文処理携帯端末と通信可能なサーバ装置とを備え、
前記注文処理携帯端末は、
商品のオーダを受け付けるオーダ受付手段と、
マーカを取得し、前記マーカから、前記商品を届ける所定位置を特定可能とするマーカ特定情報を抽出する抽出手段と、
前記マーカ特定情報とともに前記商品のオーダデータを送信するオーダデータ送信手段と、を備え、
前記サーバ装置は、
マーカを出力装置に出力させるマーカ出力手段と、
前記注文処理携帯端末から、前記マーカ特定情報とともに、前記商品のオーダデータを受信するオーダデータ受信手段と、
前記マーカ出力手段により出力される前記マーカのマーカ特定情報と、前記商品を届ける所定位置を示す位置識別情報とを紐付けたテーブルを参照し、前記注文処理携帯端末から受信した前記マーカ特定情報に紐付いた前記位置識別情報を取得する取得手段と、を備え、
前記サーバ装置の前記マーカ出力手段は、任意のタイミングで前記マーカを変更して出力させる注文システム。
【請求項２】
請求項１に記載の注文システムにおいて、
前記注文処理携帯端末において、
前記各マーカは、画像を提示するか、または音声を出力し、
前記抽出手段は、
当該注文処理携帯端末が有する撮像部により撮像された前記少なくとも１つのマーカの画像、または、当該注文処理携帯端末が有する集音部により集音された前記少なくとも１つのマーカの音声を前記マーカ特定情報として抽出する注文システム。
【手続補正３】
【補正対象書類名】明細書
【補正対象項目名】０００１
【補正方法】変更
【補正の内容】
【０００１】
本発明は、注文システムに関する。
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明の注文システムは、
注文処理携帯端末と、
前記注文処理携帯端末と通信可能なサーバ装置とを備え、
前記注文処理携帯端末は、
商品のオーダを受け付けるオーダ受付手段と、
マーカを取得し、前記マーカから、前記商品を届ける所定位置を特定可能とするマーカ特定情報を抽出する抽出手段と、
前記マーカ特定情報とともに前記商品のオーダデータを送信するオーダデータ送信手段と、を備え、
前記サーバ装置は、
マーカを出力装置に出力させるマーカ出力手段と、
前記注文処理携帯端末から、前記マーカ特定情報とともに、前記商品のオーダデータを受信するオーダデータ受信手段と、
前記マーカ出力手段により出力される前記マーカのマーカ特定情報と、前記商品を届ける所定位置を示す位置識別情報とを紐付けたテーブルを参照し、前記注文処理携帯端末から受信した前記マーカ特定情報に紐付いた前記位置識別情報を取得する取得手段と、を備え、
前記サーバ装置の前記マーカ出力手段は、任意のタイミングで前記マーカを変更して出力させる。
【国際調査報告】
2014017395.tif 000021
2014017395.tif 000022